(57)【要約】【課題】電源部を支持するフレームの低コスト化を図ることが可能な電子機器が望まれている。【解決手段】筐体２と、筐体２内に収容され電源部品９５が実装された電源基板９１を有する電源ユニット９と、筐体２内における筐体２と電源ユニット９との間かつ鉛直方向に配置され、開口部１１ａが形成された右フレーム１１と、電源部品９５から開口部１１ａへの気流を発生させるファン１３とを備え、電源ユニット９は、水平方向において電源部品９５が開口部１１ａと対向する位置に配置され、開口部１１ａの周辺部のうち、電源部品９５が電源基板９１に実装されている実装面９１ａ側の少なくとも一部の部分が、難燃性樹脂部材にて形成される第１の部位１０Ａとして構成され、右フレーム１１における第１の部位１０Ａ以外の少なくとも一部の部分が、第１の部位１０Ａよりも難燃性が低い部材にて形成される第２の部位１０Ｂとして構成される、電子機器。【選択図】図５
2017156636.tif 000002
【特許請求の範囲】
【請求項１】
筐体と、
前記筐体内に収容され、電源部品が実装された電源基板を有する電源部と、
前記筐体内における前記筐体と前記電源部との間かつ鉛直方向に配置されるフレームであって、前記フレームの電源部側と筐体側とを連通する開口部が形成されたフレームと、
前記電源部品から前記開口部への気流を発生させるファンとを備え、
前記電源部は、水平方向において前記電源部品が前記開口部と対向する位置に配置され、
前記開口部の周辺部のうち、前記電源部品が前記電源基板に実装されている実装面側の少なくとも一部の部分が、難燃性樹脂部材にて形成される第１の部位として構成され、
前記フレームにおける前記第１の部位以外の少なくとも一部の部分が、前記第１の部位よりも難燃性が低い部材にて形成される第２の部位として構成される、
ことを特徴とする電子機器。
【請求項２】
前記電源部は、前記電源基板を被覆するカバー部材を備え、
前記カバー部材の前記フレーム側端部と、前記フレームの前記第１の部位とが、互いに水平方向に連結されている、
ことを特徴とする請求項１に記載の電子機器。
【請求項３】
請求項１又は請求項２に記載の電子機器と、
前記筐体内に収容され、前記筐体内における前記フレームよりも前記電源部側に配置される画像形成部とを備える、
ことを特徴とする画像形勢装置。
【請求項４】
前記フレームは、互いに対向する第１のフレームと第２のフレームとを備え、
前記画像形成部及び前記電源部は、前記第１のフレームと前記第２のフレームとの間に配置され、
前記開口部は、前記第１のフレームに形成され、
前記第１の部位は前記第１のフレームに配置される、
ことを特徴とする請求項３に記載の画像形成装置。
【請求項５】
前記電源部の前記カバー部材における前記第１のフレーム側端部と、前記第１のフレームの前記第１の部位とが互いに水平方向に連結され、
前記電源部の前記カバー部材における前記第２のフレーム側端部と、前記第２のフレームとが互いに水平方向に連結されている、
ことを特徴とする請求項４に記載の画像形成装置。
【請求項６】
前記電源部の前記電源基板には、外部電源からの電圧が入力される一次側回路、前記外部電源からの電圧を所定の電圧に変換する変換回路、及び前記所定の電圧を前記画像形成部に出力する二次側回路が形成されており、
前記第１のフレーム側から前記第２のフレーム側へ向けて、前記一次側回路、前記変換回路、及び前記二次側回路が順に配置されている、
ことを特徴とする請求項４又は請求項５に記載の画像形成装置。
【請求項７】
前記一次側回路と前記ファンとが、水平方向において対向している、
ことを特徴とする請求項６に記載の画像形成装置。
【請求項８】
前記フレームにおける前記第１の部位には、前記筐体の外部側から内部側へ向かって水平方向に延出する溝が形成されており、
前記電源部は、前記第１の部位により、前記溝に沿ってスライド可能に支持される、
ことを特徴とする請求項３〜請求項７の何れか一項に記載の画像形成装置。
【請求項９】
前記ファンは、前記電源部と前記開口部とを通る線上に配置され、
前記電源部は、少なくとも前記フレームの前記第１の部位により支持されている、
ことを特徴とする請求項３〜請求項８の何れか一項に記載の画像形成装置。
【発明の詳細な説明】
【技術分野】
【０００１】
本発明は、電源を供給する電源部を備える電子機器及び画像形成装置に関する。
【背景技術】
【０００２】
従来から、画像形成装置等の電子機器においては、商用交流電圧を所定の低圧に変圧し、前記低圧電圧を機器内部に供給する電源部が備えられたものがある。
前記電源部は、電源回路を構成する電源部品が実装された電源基板を備えており、前記電源基板を金属や樹脂にて構成される板状のガード部材で覆うことが一般的に行われている。この場合、電源基板を覆うガード部材として、難燃性の樹脂部材が用いられることがある。
【０００３】
例えば、特許文献１に開示される画像形成装置では、電源基板を備える基板ユニットが装置の一側面側に配置されており、前記基板ユニットが備えるシールド板金と、本体ハウジング内に収容される画像形成部との間に、壁部となる本体フレームが鉛直方向に配置されている。前記電源基板に装着される電子部品は、前記シールド板金と本体フレームとの間に配置さており、前記基板ユニットは前記本体フレームに支持されている。
【０００４】
前記基板ユニットを支持する前記本体フレームはその全体が難燃性の樹脂部材にて構成されており、前記電子部品が装着された電源基板は、前記シールド板金と本体フレームとによって全体的に覆われて保護されている。
【先行技術文献】
【特許文献】
【０００５】
【特許文献１】特開２０１３−１８８９５２号公報
【発明の概要】
【発明が解決しようとする課題】
【０００６】
しかし、前述の電源ユニットを支持する本体フレームは、その全体が１種類の難燃性部材にて構成されているため、高価な難燃性部材の使用量が多くなり、本体フレームのコストが高くなるという問題があった。
【０００７】
従って、電源部を備えた電子機器においては、前記電源部を支持するフレームの低コスト化を図ることが可能な電子機器が望まれている。
【課題を解決するための手段】
【０００８】
上記課題を解決する電子機器及び画像形成装置は、以下の特徴を有する。
即ち、請求項１記載の如く、筐体と、前記筐体内に収容され、電源部品が実装された電源基板を有する電源部と、前記筐体内における前記筐体と前記電源部との間かつ鉛直方向に配置されるフレームであって、前記フレームの電源部側と筐体側とを連通する開口部が形成されたフレームと、前記電源部品から前記開口部への気流を発生させるファンとを備え、前記電源部は、水平方向において前記電源部品が前記開口部と対向する位置に配置され、前記開口部の周辺部のうち、前記電源部品が前記電源基板に実装されている実装面側の少なくとも一部の部分が、難燃性樹脂部材にて形成される第１の部位として構成され、前記フレームにおける前記第１の部位以外の少なくとも一部の部分が、前記第１の部位よりも難燃性が低い部材にて形成される第２の部位として構成される、電子機器。
【０００９】
また、請求項２記載の如く、前記電源部は、前記電源基板を被覆するカバー部材を備え、前記カバー部材の前記フレーム側端部と、前記フレームの前記第１の部位とが、互いに水平方向に連結されている。
【００１０】
また、請求項３記載の如く、請求項１又は請求項２に記載の電子機器と、前記筐体内に収容され、前記筐体内における前記フレームよりも前記電源部側に配置される画像形成部とを備える、画像形勢装置。
【００１１】
また、請求項４記載の如く、前記フレームは、互いに対向する第１のフレームと第２のフレームとを備え、前記画像形成部及び前記電源部は、前記第１のフレームと前記第２のフレームとの間に配置され、前記開口部は、前記第１のフレームに形成され、前記第１の部位は前記第１のフレームに配置される。
【００１２】
また、請求項５記載の如く、前記電源部の前記カバー部材における前記第１のフレーム側端部と、前記第１のフレームの前記第１の部位とが互いに水平方向に連結され、前記電源部の前記カバー部材における前記第２のフレーム側端部と、前記第２のフレームとが互いに水平方向に連結されている。
【００１３】
また、請求項６記載の如く、前記電源部の前記電源基板には、外部電源からの電圧が入力される一次側回路、前記外部電源からの電圧を所定の電圧に変換する変換回路、及び前記所定の電圧を前記画像形成部に出力する二次側回路が形成されており、前記第１のフレーム側から前記第２のフレーム側へ向けて、前記一次側回路、前記変換回路、及び前記二次側回路が順に配置されている。
【００１４】
また、請求項７記載の如く、前記一次側回路と前記ファンとが、水平方向において対向している。
【００１５】
また、請求項８記載の如く、前記フレームにおける前記第１の部位には、前記筐体の外部側から内部側へ向かって水平方向に延出する溝が形成されており、前記電源部は、前記第１の部位により、前記溝に沿ってスライド可能に支持される。
【００１６】
また、請求項９記載の如く、前記ファンは、前記電源部と前記開口部とを通る線上に配置され、前記電源部は、少なくとも前記フレームの前記第１の部位により支持されている。
【発明の効果】
【００１７】
本発明によれば、電子機器におけるフレームの低コスト化を図ることが可能となる。
【図面の簡単な説明】
【００１８】
【図１】画像形成装置を示す斜視図である。
【図２】画像形成装置を示す中央断面図である。
【図３】右フレームの内側面を示す側面図である。
【図４】右フレームの外側面を示す一部側面図である。
【図５】右フレーム及び左フレームに支持される電源ユニットを示す正面断面図である。
【図６】右フレームにおける第１の部位に支持される電源ユニットを示す側面断面図である。
【図７】右フレーム及び左フレームに支持される電源ユニットを示す平面断面図である。
【図８】電源ユニットを本体フレームに装着する様子を示す斜視図である。
【図９】本体フレームにおける第１の部位及び第２の部位の別実施形態を示す正面断面図である。
【図１０】ファンの配置位置の第１の別実施形態を示す正面断面図である。
【図１１】ファンの配置位置の第２の別実施形態を示す正面断面図である。
【発明を実施するための形態】
【００１９】
次に、本発明を実施するための形態を、添付の図面を用いて説明する。
【００２０】
[画像形成装置の全体構成]
図１、図２に示す画像形成装置１は、本発明に係る電子機器及び画像形成装置の一実施形態であり、筐体２と、供給ユニット３と、画像形成部の一例としての画像形成ユニット５と、排出ユニット８と、駆動力を供給する駆動源としてのモータ４と、モータ４及び画像形成ユニット５等に電源を供給する電源部の一例としての電源ユニット９とを備えている。
【００２１】
供給ユニット３は、画像形成装置１の下部に配置され、供給ユニット３に保持されるシートＳを画像形成ユニット５に搬送するものである。画像形成ユニット５は、供給ユニット３よりもシートＳの搬送方向下流側に配置され、供給ユニット３から搬送されてきたシートＳに画像を形成するものである。排出ユニット８は、画像形成ユニット５よりもシートＳの搬送方向下流側に配置され、画像形成ユニット５により画像が形成されたシートＳを画像形成装置１の外部へ排出するものである。
【００２２】
供給ユニット３は、シートカセット３０と、給紙機構３２と、搬送ローラ３３ａと、レジストローラ３４とを備えている。
【００２３】
シートカセット３０は、筐体２の下部に着脱可能に装着されており、筐体２内に装着された装着位置と、筐体２外に引き出された分離位置との間で移動可能に構成されている。
【００２４】
以降、本実施形態においては、シートカセット３０が装着位置から筐体２外に引き出される方向を画像形成装置１の前方向と規定し、シートカセット３０が筐体２外から筐体２内へ装着される際のシートカセット１０の移動方向を後方向と規定する。
【００２５】
シートカセット３０は、シートＳが積載される圧板３１を備えており、圧板３１を、モータ４からの駆動力によって回動中心３１ａを中心として上下回動させることにより、シートＳを上下方向に変位可能としている。圧板３１に積載されるシートＳは、圧板３１が上方へ回動することにより、給紙可能位置まで上昇される。
【００２６】
給紙機構３２は、シートカセット３０に保持されるシートＳを一枚ずつ分離して取り出し、搬送ローラ３３ａへ向けて搬送する機構であり、ピックアップローラ３２ａ、分離ローラ３２ｂ、及び分離パッド３２ｃを備えている。
【００２７】
ピックアップローラ３２ａは、圧板３１により給紙可能位置まで上昇されたシートＳを取り出すためのローラであり、圧板３１の前端部の上方に配置されている。
分離ローラ３２ｂは、ピックアップローラ３２ａよりもシートＳの搬送方向下流側に配置されており、分離パッド３２ｃは、分離ローラ３２ｂに対向配置されるとともに分離ローラ３２ｂに向けて付勢されている。
【００２８】
ピックアップローラ３２ａにより取り出されたシートＳは、分離ローラ３２ｂ側へ送り出され、分離ローラ３２ｂと分離パッド３２ｃとの間で１枚ずつに分離されて、搬送ローラ３３ａに向けて搬送される。
【００２９】
搬送ローラ３３ａは、シートＳに搬送力を付与するローラであり、給紙機構３２よりもシートＳの搬送方向下流側に配置されている。搬送ローラ３３ａの対向位置には、紙粉取りローラ３３ｂが配置されている。給紙機構３２から搬送ローラ３３ａに向けて搬送されてきたシートＳは、搬送ローラ３３ａと紙粉取りローラ３３ｂとで挟持され、レジストローラ３４へ向けて搬送される。
【００３０】
レジストローラ３４は、搬送ローラ３３ａよりもシートＳの搬送方向下流側に配置されており、搬送されるシートＳの先端の移動を、レジストローラ３４に対向配置されるレジストコロ３５との間で規制して一旦停止させた後、所定のタイミングにて転写位置に向けて搬送する。
【００３１】
画像形成ユニット５は、供給ユニット３から搬送されてきたシートＳの表面に画像を転写するプロセスカートリッジ５０と、プロセスカートリッジ５０における感光体ドラム５４の表面を露光する露光ユニット６０と、プロセスカートリッジ５０によりシートＳに転写された画像を定着させる定着ユニット７０とを備えている。
【００３２】
プロセスカートリッジ５０は、筐体２内における供給ユニット３よりも上方に配置されており、現像剤収容室５１と、供給ローラ５２と、現像ローラ５３と、感光体ドラム５４と、転写ローラ５５等とを備えている。
【００３３】
露光ユニット６０は、レーザダイオード、ポリゴンミラー、レンズ、及び反射鏡等を備えており、画像形成装置１に入力された画像データに基づいてレーザ光を感光体ドラム５４へ向けて照射することにより、感光体ドラム５４の表面を露光する。
【００３４】
現像剤収容室５１には現像剤となるトナーが収容されている。現像剤収容室５１に収容されたトナーは、図示しない撹拌部材により撹拌されながら供給ローラ５２に送られる。供給ローラ５２は、現像剤収容室５１から送られてくるトナーをさらに現像ローラ５３へ供給する。
【００３５】
現像ローラ５３は、供給ローラ５２に密着して配置されており、供給ローラ５２から供給されるとともに図示しない摺接部材により正帯電されたトナーを担持する。また、現像ローラ５３には、図示しないバイアス印加手段により正の現像バイアスが印加される。
【００３６】
感光体ドラム５４は、現像ローラ５３に隣接して配置されている。感光体ドラム５４の表面は、図示しない帯電器により一様に正帯電された後、露光ユニット６０により露光される。感光体ドラム５４の露光された部分は他の部分よりも電位が低くなり、感光体ドラム５４に画像データに基づく静電潜像が形成される。
そして、静電潜像が形成された感光体ドラム５４の表面に、正に帯電されたトナーが現像ローラ５３から供給されることにより、静電潜像が顕像化されて現像剤像となる。
【００３７】
転写ローラ５５は、感光体ドラム５４に対向配置され、図示しないバイアス印加手段により負の転写バイアスが印加される。転写ローラ５５の表面に転写バイアスがされている状態で、現像剤像が形成された感光体ドラム５４と転写ローラ５５との間（転写位置）でシートＳを挟持しなから搬送することにより、感光体ドラム５４の表面に形成された現像剤像がシートＳの表面に転写される。
【００３８】
定着ユニット７０は、加熱ローラ７１と押圧ローラ７２とを備えている。加熱ローラ７１はモータ４からの駆動力により回転駆動され、加熱ローラ７１は電源ユニット９から供給される電力により加熱される。押圧ローラ７２は加熱ローラ７１に対向配置されており、加熱ローラ７１に密着して従動回転する。現像剤像が転写されたシートＳが定着ユニット７０に搬送されてくると、加熱ローラ７１と押圧ローラ７２との間でシートＳを挟持しながら搬送し、シートＳに現像剤像を定着させる。
【００３９】
排出ユニット８は、一対の排出ローラ８１・８１と、排出トレイ８２とを備えている。
排出ローラ８１・８１は、定着ユニット７０から搬送されてくるシートＳを筐体２の外部へ向けて排出する。
排出トレイ８２は筐体２の上面に形成されており、排出トレイ８２には排出ローラ８１により筐体２の外部に排出されたシートＳが堆積される。
【００４０】
電源ユニット９は、例えば低圧電源ユニットに構成されており、筐体２内における画像形成ユニット５の後方に配置されている。
【００４１】
筐体２は略直方体形状に形成されており、供給ユニット３、画像形成ユニット５、モータ４及び電源ユニット９等を収容している。筐体２の前面は前カバー２１として構成され、後面は後カバー２２として構成されている。また、筐体２の一方の側面は右カバー２３として構成され、他方の側面は左カバー２４として構成されている。
【００４２】
[本体フレーム]
筐体２内には、右フレーム１１及び左フレーム１２を備えた本体フレーム１０が配置されている。本体フレーム１０はフレームの一例であり、右フレーム１１は第１のフレームの一例であり、左フレーム１２は第２のフレームの一例である。
【００４３】
右フレーム１１及び左フレーム１２は、互いに所定の距離だけ離間して、左右方向に対向するように配置される板状部材である。右フレーム１１は、右カバー２３に隣接した位置で、右カバーに沿って鉛直方向に配置されている。左フレーム１２は、左カバー２４に隣接した位置で、左カバー２４に沿って鉛直方向に配置されている。
【００４４】
画像形成ユニット５及び電源ユニット９は、右フレーム１１と左フレーム１２との間に配置されており、右フレーム１１と左フレーム１２とによって支持されている。
つまり、右フレーム１１は、右カバー２３と電源ユニット９との間に配置されており、左フレーム１２は、左カバー２４と電源ユニット９との間に配置されている。
また、画像形成ユニット５は、筐体２内の左右方向において、右フレーム１１及び左フレーム１２よりも電源ユニット９側に位置している。
【００４５】
右フレーム１１及び左フレーム１２を備える本体フレーム１０は樹脂部材にて構成されており、難燃性樹脂部材にて構成される第１の部位１０Ａと、第１の部位１０Ａよりも難燃性が低い樹脂部材にて構成される第２の部位１０Ｂとを備えている。
【００４６】
図３〜図５に示すように、右フレーム１１は第１の部位１０Ａと第２の部位１０Ｂとを有しており、第１の部位１０Ａは右フレーム１１の後端部に配置されている。右フレーム１１における第１の部位１０Ａは、図３、図４において網掛けにて表わしている箇所である。左フレーム１２は、全体的に第２の部位１０Ｂとして構成されている。
【００４７】
第１の部位１０Ａを構成する難燃性樹脂としては、例えばＵＬ規格において規定されるＵＬ９４−５ＶＢレベル以上の難燃性グレードに適応したポリカーボネート等の樹脂を用いることができる。
第２の部位１０Ｂを構成する樹脂としては、例えばＵＬ規格において規定されるＵＬ９４−ＨＢレベルの難燃性グレードに適応した樹脂を用いることができる。
【００４８】
右フレーム１１には、右フレーム１１の電源ユニット９側と右カバー２３側とを連通する開口部１１ａが形成されている。開口部１１ａは、右フレーム１１の後端部に形成されている。
【００４９】
右フレーム１１において、第１の部位１０Ａは、開口部１１ａの周辺部に配置されている。本実施形態の場合、第１の部位１０Ａは、開口部１１ａの周辺部における全周にわたって配置されている。
つまり、本実施形態においては、右フレーム１１における第１の部位１０Ａとして構成されている部分に開口部１１ａが形成されている。
【００５０】
右フレーム１１は、例えば第１の部位１０Ａと第２の部位１０Ｂとをそれぞれ別体に成形し、第１の部位１０Ａを第２の部位１０Ｂに装着することで構成することができる。
また、右フレーム１１は、インサート成形により第１の部位１０Ａと第２の部位１０Ｂとを一体的に成形することにより構成することもできる。
【００５１】
右フレーム１１の開口部１１ａにはファン１３が嵌装されている。本実施形態におけるファン１３は、筐体２内の雰囲気を、右カバー２３に形成された排気口２３ａを通じて筐体２の外部へ排気するための排気ファンである。
【００５２】
右フレーム１１における開口部１１ａの下方には、前後方向に延出する支持溝１１ｂが形成されている。支持溝１１ｂは、筐体の外部側から内部側へ向かって水平方向に延出する溝の一例である。
支持溝１１ｂは、右フレーム１１における第１の部位１０Ａとして構成されている箇所に形成されている。
【００５３】
[電源ユニット]
図５〜図７に示すように、電源ユニット９は、電源部品９５が実装された電源基板９１と、電源基板９１を被覆する下部カバー９２及び上部カバー９３とを備えている。
電源基板９１は、電源部品９５の実装面９１ａが上面となる姿勢で配置されており、下部カバー９２により支持されている。
【００５４】
下部カバー９２は、電源基板９１を支持するとともに、電源基板９１の下方を覆う下面カバー部９２ａと電源基板９１の後面を覆う後面カバー部９２ｂとを備えている。上部カバー９３は、電源基板９１の上方を覆う上面カバー部９３ａと、電源基板９１の前方を覆う前面カバー部９３ｂとを備えている。
下部カバー９２と上部カバー９３とは互いに連結されており、電源基板９１は、その前後方向及び上下方向が下部カバー９２及び上部カバー９３により全体的に覆われている。
【００５５】
電源基板９１、下部カバー９２、及び上部カバー９３は、それぞれ左右方向に延出しており、下部カバー９２における下面カバー部９２ａの右フレーム１１側端部が、右フレーム１１の支持溝１１ｂに、前後方向へスライド可能に支持されている。また、下部カバー９２における下面カバー部９２ａの左フレーム１２側端部が、左フレーム１２に形成される支持部１２ｂに、前後方向へスライド可能に支持されている。
【００５６】
上部カバー９３における上面カバー部９３ａの右フレーム１１側端部は、右フレーム１１に形成される連結部１１ｃと連結され、上部カバー９３における上面カバー部９３ａの左フレーム１２側端部は、左フレーム１２に形成される連結部１２ｃと連結されている。
【００５７】
具体的には、右フレーム１１の連結部１１ｃは上下方向に延出する支持片であり、上面カバー部９３ａには、上面カバー部９３ａの右フレーム１１側端部を下方へ屈曲することにより連結片９３ｃが形成されている。右フレーム１１の連結部１１ｃと上面カバー部９３ａの連結片９３ｃとは互いに水平方向に対向しており、両者が当接した状態でビス等の連結具により連結されている。これにより、上面カバー部９３ａの右フレーム１１側端部と、右フレーム１１における第１の部位１０Ａとが水平方向に連結されている。
【００５８】
また、左フレーム１２の連結部１２ｃは上下方向に延出する支持片であり、上面カバー部９３ａには、上面カバー部９３ａの左フレーム１２側端部を下方へ屈曲することにより連結片９３ｄが形成されている。左フレーム１２の連結部１２ｃと上面カバー部９３ａの連結片９３ｄとは互いに水平方向に対向しており、両者が当接した状態でビス等の連結具により連結されている。これにより、上面カバー部９３ａの左フレーム１２側端部と、左フレーム１２とが水平方向に連結されている。
【００５９】
電源ユニット９においては、電源基板９１に形成される回路と、電源基板９１に装着される電源部品９５とによって、電源回路９６が形成されている。電源回路９６は、外部電源からの電圧が入力される一次側回路９６ａと、前記外部電源からの電圧を所定の電圧に変換する変換回路９６ｂと、前記所定の電圧を画像形成ユニット５に出力する二次側回路９６ｃとを備えている。
【００６０】
一次側回路９６ａ、変換回路９６ｂ、及び二次側回路９６ｃは、右フレーム１１側から左フレーム１２側へ向けて、一次側回路９６ａ、変換回路９６ｂ、及び二次側回路９６ｃの順に配置されている。
【００６１】
電源回路９６が形成されている電源基板９１の右フレーム１１側端部は、右フレーム１１の第１の部位１０Ａに近接して配置されている。
従って、電源回路９６のなかで最も右フレーム１１側に配置されている一次側回路９６ａは、右フレーム１１における第１の部位１０Ａに近接した箇所に位置している。また、一次側回路９６ａは、開口部１１ａに嵌装されるファン１３と水平方向に対向する位置に配置されている。
【００６２】
電源基板９１に実装される電源部品９５は、右フレーム１１の開口部１１ａに対して、水平方向に対向する位置に配置されている。
また、開口部１１ａには、筐体２内の雰囲気を筐体２の外部へ排気するファン１３が嵌装されているため、ファン１３により電源部品９５から開口部１１ａ側へ向かう気流が発生し、当該気流により電源部品９５の周囲の雰囲気が筐体２の外部へ排気されることとなる。
【００６３】
右フレーム１１の開口部１１ａ周辺においては、支持溝１１ｂ及び連結部１１ｃは、ファン１３が嵌装されている箇所よりも、筐体２内の左右内側に配置されている。また、開口部１１ａ周辺における支持溝１１ｂ及び連結部１１ｃが形成されている部分の開口面積は、開口部１１ａにおけるファン１３が嵌装されている部分の開口面積よりも小さく構成されている。そして、開口部１１ａは、ファン１３が嵌装されている部分から支持溝１１ｂ及び連結部１１ｃが形成されている部分へ至るまで、開口面積が漸次減少するように縮径されている。
【００６４】
このように、開口部１１ａにおいて、電源ユニット９を支持する支持溝１１ｂ及び連結部１１ｃの部分の開口面積が、ファン１３が嵌装されている部分の開口面積よりも小さく形成されているため、ファン１３により生じる気流の流れが、開口部１１ａにおけるファン１３が嵌装されている部分よりも、支持溝１１ｂ及び連結部１１ｃにより支持される電源ユニット９の電源部品９５の周囲の方が速くなり、電源部品９５の周囲の雰囲気の、筐体２の外部への排気効率を高めることが可能となっている。
【００６５】
[電源ユニットの本体フレームへの装着]
電源ユニット９は本体フレーム１０に装着されているが、電源ユニット９を本体フレーム１０に装着する際には、次のようにして装着することができる。
例えば図８に示すように、電源ユニット９を本体フレーム１０に装着する際には、予め上部カバー９３が装着された状態の本体フレーム１０に、電源基板９１を支持した状態の下部カバー９２を装着することができる。
【００６６】
この場合、上部カバー９３は、その右フレーム１１側端部が、右フレーム１１の連結部１１ｃと水平方向に連結されるとともに、その左フレーム１２側端部が、左フレーム１２の連結部１２ｃと水平方向に連結されている。
このように、右フレーム１１と左フレーム１２との間に上部カバー９３が装着された状態の本体フレーム１０に、後方から電源基板９１を支持した状態の下部カバー９２を差し入れることで、電源ユニット９を本体フレーム１０に装着する。
【００６７】
具体的には、下部カバー９２における下面カバー部９２ａの右フレーム１１側端部を右フレーム１１の支持溝１１ｂに嵌合させるとともに、下部カバー９２における下面カバー部９２ａの左フレーム１２側端部を左フレーム１２の支持部１２ｂに載置した状態で、下部カバー９２を本体フレーム１０に差し入れる。
【００６８】
下部カバー９２を本体フレーム１０に差し入れる際には、下面カバー部９２ａの右フレーム１１側端部を右フレーム１１の支持溝１１ｂに対してスライドさせるとともに、下面カバー部９２ａの左フレーム１２側端部を左フレーム１２の支持部１２ｂに対してスライドさせながら、電源基板９１に装着される電源部品９５と開口部１１ａとが対向する位置まで下部カバー９２を差し入れる。
【００６９】
下部カバー９２を本体フレーム１０に差し入れた後は、下部カバー９２と上部カバー９３とを連結具により連結することで、本体フレーム１０に対する下部カバー９２の位置が固定され、電源ユニット９が本体フレーム１０に装着されることとなる。
【００７０】
[本体フレームにおける第１の部位及び第２の部位の別実施形態]
前述の実施形態では、本体フレーム１０の第１の部位１０Ａは、右フレーム１１に形成される開口部１１ａの周辺部における全周にわたって配置されていたが、これに限るものではない。
【００７１】
例えば、図９に示すように、第１の部位１０Ａは、右フレーム１１における開口部１１ａの周辺部のうち、電源基板９１の電源部品９５が実装されている実装面９１ａよりも電源部品９５側に位置する部分のみに形成することもできる。図９に示す右フレーム１１においては、電源部品９５が配置されていない電源基板９１よりも下方の部分は第２の部位１０Ｂとして構成されている。
【００７２】
さらに、右フレーム１１においては、開口部１１ａの周辺部のうち、電源部品９５が電源基板９１に実装されている実装面９１ａ側の少なくとも一部の部分を第１の部位１０Ａとして構成することもできる。つまり、開口部１１ａの周辺部のうち、電源基板９１の実装面９１ａよりも電源部品９５側に位置する部分の一部を第１の部位１０Ａとして構成することもできる。
【００７３】
また、前述の実施形態では、右フレーム１１の開口部１１ａの周辺部に構成される第１の部位１０Ａ以外の部位、及び左フレーム１２の全体を第２の部位として構成していが、これに限るものではない。
つまり、本体フレーム１０における開口部１１ａの周辺部に構成される第１の部位１０Ａ以外の部位を、全て第２の部位１０Ｂとして構成する必要はなく、本体フレーム１０における開口部１１ａの周辺部以外の一部に第１の部位１０Ａが存在することを妨げるものではない。
【００７４】
[ファンの配置位置の別実施形態]
前述の実施形態においては、ファン１３は右フレーム１１の開口部１１ａに嵌装されていたが、ファン１３の配置位置はこれに限るものではない。
例えば、図１０に示すように、ファン１３は、右フレーム１１の開口部１１ａに嵌装するのではなく、右フレーム１１の開口部１１ａと右カバー２３との間に配置することもできる。
【００７５】
このように、ファン１３を開口部１１ａと右カバー２３との間に配置した場合でも、ファン１３により電源部品９５から開口部１１ａ側へ向かう気流を生じさせることができ、当該気流により電源部品９５の周囲の雰囲気を筐体２の外部へ排気することが可能である。
【００７６】
また、図９に示すファン１３は、電源ユニット９と開口部１１ａとを結ぶ線上に配置されているため、電源部品９５の周囲の雰囲気を、ファン１３により開口部１１ａを通じて効率的に筐体２の外部へ排気することが可能となっている。
【００７７】
但し、ファン１３は、必ずしも電源ユニット９と開口部１１ａとを結ぶ線上に配置する必要はなく、電源ユニット９と開口部１１ａとを結ぶ線上からずれた位置に配置しても、電源部品９５の周囲の雰囲気を吸引して筐体２の外部に排気することが可能である。
この場合、開口部１１ａとファン１３とをダクトにて接続することで、電源部品９５の周囲の雰囲気の排気効率を高めることができる。
【００７８】
また、ファン１３は、筐体２の外部の雰囲気を筐体２内に吸引して取り入れる吸引ファンに構成することもできる。
この場合、図１１に示すように、ファン１３は、左フレーム１２と左カバー２４との間に配置することができる。また、左フレーム１２には、左フレーム１２の左カバー２４側と電源ユニット９側とを連通する開口部１２ｄを形成するとともに、左カバー２４に吸気口２４ａを形成することが好ましい。
【００７９】
このように構成することで、左フレーム１２と左カバー２４との間に配置したファン１３により、筐体２の外部の雰囲気を吸気口２４ａを通じて筐体２内に取り入れて、左フレーム１２の開口部１２ｄから電源部品９５側へ至り、さらには電源部品９５から右フレーム１１の開口部１１ａ側へ至る気流を発生させることが可能となる。
【００８０】
[本実施形態おける効果]
本実施形態においては、画像形成装置１は上述のように構成されている。
つまり、電子機器である画像形成装置１は、筐体２と、筐体２内に収容され、電源部品９５が実装された電源基板９１を有する電源ユニット９と、筐体２内における筐体２と電源ユニット９との間かつ鉛直方向に配置される本体フレーム１０の右フレーム１１であって、右フレーム１１の電源ユニット９側と筐体２側とを連通する開口部１１ａが形成された右フレーム１１と、電源部品９５から開口部１１ａへの気流を発生させるファン１３とを備え、電源ユニット９は、水平方向において電源部品９５が開口部１１ａと対向する位置に配置され、開口部１１ａの周辺部のうち、電源部品９５が電源基板９１に実装されている実装面９１ａ側の少なくとも一部の部分が、難燃性樹脂部材にて形成される第１の部位１０Ａとして構成され、右フレーム１１における第１の部位１０Ａ以外の少なくとも一部の部分が、第１の部位１０Ａよりも難燃性が低い部材にて形成される第２の部位１０Ｂとして構成されている。
【００８１】
また、画像形成装置１は、筐体２内に収容され、筐体２内における右フレーム１１よりも電源ユニット９側に配置される画像形成ユニット５を備えている。
さらに、画像形成装置１においては、本体フレーム１０は、互いに対向する右フレーム１１と左フレーム１２とを備え、画像形成ユニット５及び電源ユニット９は、右フレーム１１と左フレーム１２との間に配置され、開口部１１ａは右フレーム１１に形成され、第１の部位１０Ａは右フレーム１１に配置されている。
【００８２】
このように、電源部品９５と対向する位置に配置される右フレーム１１の開口部１１ａの周辺部のうち、電源部品９５が電源基板９１に実装されている実装面９１ａ側の少なくとも一部の部分が、難燃性樹脂部材にて形成される第１の部位１０Ａとして構成されているので、電源ユニット９を右フレーム１１に近接して配置することができ、電子機器である画像形成装置１をコンパクトに構成することができる。
【００８３】
この場合、右フレーム１１は、その全体が難燃性樹脂部材にて構成されているのではなく、難燃性樹脂部材にて構成される第１の部位１０Ａと、第１の部位１０Ａよりも難燃性が低い樹脂部材にて構成される第２の部位１０Ａとで構成されているため、画像形成装置１における本体フレーム１０の低コスト化を図ることが可能となっている。
【００８４】
また、電源ユニット９は、電源基板９１を被覆する上部カバー９３を備え、上部カバー９３の右フレーム１１側端部と、右フレーム１１の第１の部位１０Ａとが、互いに水平方向に連結されている。
【００８５】
このように、上部カバー９３の右フレーム１１側端部と、右フレーム１１の第１の部位１０Ａとを互いに水平方向に連結することにより、右フレーム１１の強度を増加させることが可能となっている。
【００８６】
さらには、上部カバー９３における右フレーム１１側端部と、右フレーム１１の第１の部位１０Ａとが互いに水平方向に連結されるとともに、上部カバー９３における左フレーム１２側端部と、左フレーム１２とが互いに水平方向に連結されているので、本体フレーム１０の強度を全体的に増加させることが可能となっている。
【００８７】
また、電源ユニット９の電源基板９１には、一次側回路９６ａ、変換回路９６ｂ、及び二次側回路９６ｃが形成されており、右フレーム１１側から左フレーム１２側へ向けて、一次側回路９６ａ、変換回路９６ｂ、及び二次側回路９６ｃが順に配置されている。
【００８８】
このように、電源基板９１の一次側回路９６ａを右フレーム１１側に配置した場合でも、右フレーム１１における第１の部位１０Ａは難燃性部材にて構成されているので、一次側回路９６ａを右フレーム１１に近接して配置することができ、画像形成装置１をコンパクトに構成するとともに、コストダウンを図ることが可能である。
【００８９】
また、画像形成装置１においては、一次側回路９６ａとファン１３とが水平方向において対向しているが、右フレーム１１における第１の部位１０Ａは難燃性部材にて構成されているので、一次側回路９６ａを右フレーム１１に近接して配置することができ、画像形成装置１をコンパクトに構成するとともに、コストダウンを図ることが可能となっている。
【００９０】
また、右フレーム１１における第１の部位１０Ａには、筐体２の外部側から内部側へ向かって水平方向に延出する支持溝１１ｂが形成されており、電源ユニット９は、第１の部位１０Ａにより、支持溝１１ｂに沿ってスライド可能に支持されている。
【００９１】
このような構成により、電源ユニット９を、筐体２内の本体フレーム１０に対して装着する際に、右フレーム１１の第１の部位１０Ａに形成される支持溝１１ｂに沿って筐体２の外部側から内部側へ向かってスライドさせることができ、電源ユニット９の本体フレーム１０に対する装着作業性を向上させることが可能となっている。
【００９２】
また、ファン１３は、電源ユニット９と右フレーム１１の開口部１１ａとを通る線上に配置され、電源ユニット９は、少なくとも右フレーム１１の第１の部位１０Ａにより支持されている。
【００９３】
このような構成により、電源ユニット９を開口部１１ａに近接して配置することができるとともに、電源ユニット９における電源部品９５の周囲の雰囲気を、ファン１３によって開口部１１ａを通じて効率的に排気することが可能となっている。
【符号の説明】
【００９４】
１    画像形成装置、
２    筐体
３    供給ユニット
５    画像形成ユニット
９    電源ユニット
１０    本体フレーム
１０Ａ  第１の部位
１０Ｂ  第２の部位
１１    右フレーム
１１ａ  開口部
１１ｂ  支持溝
１１ｃ  連結部
１２ｂ  支持部
１２ｃ  連結部
１３    ファン
２３    右カバー
２３ａ  排気口
２４    左カバー
２４ａ  吸気口
９１    電源基板
９１ａ  実装面
９２    下部カバー
９２ａ  下面カバー部
９２ｂ  後面カバー部
９３    上部カバー
９３ａ  上面カバー部
９３ｂ  前面カバー部
９３ｃ・９３ｄ  連結片
９５    電源部品
９６    電源回路
９６ａ  一次側回路
９６ｂ  変換回路
９６ｃ  二次側回路
【図１】
2017156636.tif 000003
【図２】
2017156636.tif 000004
【図３】
2017156636.tif 000005
【図４】
2017156636.tif 000006
【図５】
2017156636.tif 000007
【図６】
2017156636.tif 000008
【図７】
2017156636.tif 000009
【図８】
2017156636.tif 000010
【図９】
2017156636.tif 000011
【図１０】
2017156636.tif 000012
【図１１】
2017156636.tif 000013